(57)【要約】      （修正有）【課題】主としてオフィスにおいて、身近で分かり易く、邪魔にならない小さなスペースに、容易に取り出すことのできる状態で保管できるように圧縮梱包された、タオルや靴下などの非常用の製品を提供する。【解決手段】地震などの非常時に取り出して使用するものであり、少なくとも布製品２ａ、２ｂ、２ｃを折り畳んだ状態で圧縮固化し、合成樹脂製シート４で密封状態にした圧縮製品体２と、圧縮製品体２を収納する箱容器と、箱容器の少なくとも一面に取付けられ、圧縮製品体２を収納した箱容器を、デスクやロッカーなどの金属製備品に取付ける面状取付手段と、を設けて構成する。【選択図】図１
0003156060.tif 000002
【実用新案登録請求の範囲】
【請求項１】
地震などの非常時に取り出して使用するものであり、少なくとも布製品を折り畳んだ状態で圧縮固化し，合成樹脂製シート（４）で密封状態にした圧縮製品体（２）と、前記圧縮製品体を収納する箱容器（３）と、前記箱容器の少なくとも一面に取付けられ，前記圧縮製品体を収納した前記箱容器を，デスクやロッカーなどの金属製備品（Ｍ）に取付ける面状取付手段（５）と、を備えることを特徴とする非常用圧縮製品。
【請求項２】
地震などの非常時に取り出して使用するものであり、少なくとも，タオル（２ａ），軍手（２ｂ）を，折り畳んだ状態で一体的に三角柱形状に圧縮固化し，合成樹脂製シート（４）で密封状態にした圧縮製品体（２）と、前記圧縮製品体を収納する有頂有底三角筒形状の箱容器（３）と、前記箱容器の少なくとも一面に取付けられ，前記圧縮製品体を収納した前記箱容器を，デスクやロッカーなどの金属製備品（Ｍ）の三角コーナー（Ｔ）に取付ける面状取付手段（５）と、を備えることを特徴とする非常用圧縮製品。
【請求項３】
地震などの非常時に取り出して使用するものであり、少なくとも，ブランケットとしても使用できる大型タオル（２ｄ）を，折り畳んだ状態で三角柱形状に圧縮固化し，合成樹脂製シート（４）で密封状態にした圧縮製品体（２）と、前記圧縮製品体を収納する有頂有底三角筒形状の箱容器（３）と、前記箱容器の少なくとも一面に取付けられ，前記圧縮製品体を収納した前記箱容器を，デスクやロッカーなどの金属製備品（Ｍ）の三角コーナー（Ｔ）に取付ける面状取付手段（５）と、を備えることを特徴とする非常用圧縮製品。
【請求項４】
地震などの非常時に取り出して使用するものであり、少なくとも，タオル（２ａ），軍手（２ｂ），靴下（２ｃ），バスタオル（２ｅ），肌着（２ｆ），晒し（２ｇ）および巾着袋（２ｈ）を，折り畳んだ状態で一体的に三角柱形状に圧縮固化し，合成樹脂製シート（４）で密封状態にした圧縮製品体（２）と、前記圧縮製品体を収納する有頂有底三角筒形状の箱容器（３）と、前記箱容器の少なくとも一面に取付けられ，前記圧縮製品体を収納した前記箱容器を，デスクやロッカーなどの金属製備品（Ｍ）の三角コーナー（Ｔ）に取付ける面状取付手段（５）と、を備えることを特徴とする非常用圧縮製品。
【請求項５】
合成樹脂製シート（４）が透明であることを特徴とする請求項１、２、３または４に記載の非常用圧縮製品。
【請求項６】
圧縮製品体（２）の三角柱形状には、三角形状を構成する底辺（Ａ）と二つの斜辺（Ｂ）との間に、該底辺および斜辺より短い連結辺（Ｃ）を設けた略五角柱形状を含むものであることを特徴とする請求項２、３、４または５に記載の非常用圧縮製品。
【請求項７】
箱容器（３）の有頂有底三角筒形状には、三角形状を構成する底辺（Ａ）と二つの斜辺（Ｂ）との間に、該底辺および斜辺より短い連結辺（Ｃ）を設けた有頂有底五角筒形状を含むものであることを特徴とする請求項２、３、４、５または６に記載の非常用圧縮製品。
【考案の詳細な説明】
【技術分野】
【０００１】
本考案は、地震などの非常時に備えて、タオル、軍手、靴下などを、分かり易く、邪魔にならない小さなスペースに容易に取り出すことができる状態で保管することのできる非常用の製品に関するものである。
【背景技術】
【０００２】
地震や火災などの非常時には緊急に避難する必要があるため、避難場所などでの生活に必要なタオルや靴下などを、タンスなどの収納場所から取り出して持ち出すことは容易ではない。特に、会社などのオフィスには、通常、非常用の品物を常備していないので、そうした行動自体ができない。こうした点に鑑み、非常用のタオルや靴下などを鞄に収納してオフィスに常備しておくことが考えられる。
【考案の概要】
【考案が解決しようとする課題】
【０００３】
しかし、タオルや靴下などを鞄に収納してオフィスに持ち込むと、その保管に大きなスペースが必要となる。また、非常時には極度の緊張下に置かれるので、保管場所を忘れてしまったり、あるいは、保管場所から取り出すのに手間取ってしまい、緊急避難ができないといった危険性もある。
【０００４】
本考案はこうした問題に鑑み創案されたもので、主として会社などのオフィスにおいて、身近で分かり易く、邪魔にならない小さなスペースに、容易に取り出すことのできる状態で保管することのできるタオルや靴下などの非常用の製品を提供することを課題とする。
【課題を解決するための手段】
【０００５】
用語の定義・・面状取付手段とはマグネットシール又は面ファスナーのことである。
【０００６】
図１乃至図７を参照して説明する。請求項１に記載の非常用圧縮製品１は、地震などの非常時に取り出して使用するものであり、少なくとも布製品を折り畳んだ状態で圧縮固化し、合成樹脂製シート４で密封状態にした圧縮製品体２と、前記圧縮製品体２を収納する箱容器３と、前記箱容器３の少なくとも一面に取付けられ、前記圧縮製品体２を収納した前記箱容器３を、デスクやロッカーなどの金属製備品Ｍに取付ける面状取付手段５と、を備えるものである。
【０００７】
請求項２に記載の非常用圧縮製品１は、地震などの非常時に取り出して使用するものであり、少なくとも、タオル２ａ、軍手２ｂを、折り畳んだ状態で一体的に三角柱形状に圧縮固化し、合成樹脂製シート４で密封状態にした圧縮製品体２と、前記圧縮製品体２を収納する有頂有底三角筒形状の箱容器３と、前記箱容器３の少なくとも一面に取付けられ、前記圧縮製品体２を収納した前記箱容器３を、デスクやロッカーなどの金属製備品Ｍの三角コーナーＴに取付ける面状取付手段５と、を備える。
【０００８】
請求項３に記載の非常用圧縮製品１は、地震などの非常時に取り出して使用するものであり、少なくとも、ブランケットとしても使用できる大型タオル２ｄを、折り畳んだ状態で三角柱形状に圧縮固化し、合成樹脂製シート４で密封状態にした圧縮製品体２と、前記圧縮製品体２を収納する有頂有底三角筒形状の箱容器３と、前記箱容器３の少なくとも一面に取付けられ、前記圧縮製品体２を収納した前記箱容器３を、デスクやロッカーなどの金属製備品Ｍの三角コーナーＴに取付ける面状取付手段５と、を備える。
【０００９】
請求項４に記載の非常用圧縮製品１は、地震などの非常時に取り出して使用するものであり、少なくとも、タオル２ａ、軍手２ｂ、靴下２ｃ、バスタオル２ｅ、肌着２ｆ、晒し２ｇおよび巾着袋２ｈを、折り畳んだ状態で一体的に三角柱形状に圧縮固化し、合成樹脂製シート４で密封状態にした圧縮製品体２と、前記圧縮製品体２を収納する有頂有底三角筒形状の箱容器３と、前記箱容器３の少なくとも一面に取付けられ、前記圧縮製品体２を収納した前記箱容器３を、デスクやロッカーなどの金属製備品Ｍの三角コーナーＴに取付ける面状取付手段５と、を備えるものである。
【００１０】
請求項５に記載の非常用圧縮製品１は、請求項１、２、３または４に記載の考案において、合成樹脂製シート４が透明であることを特徴とするものである。
【００１１】
請求項６に記載の非常用圧縮製品１は、請求項２、３、４または５に記載の考案において、圧縮製品体２の三角柱形状には、三角形状を構成する底辺Ａと二つの斜辺Ｂとの間に、その底辺Ａおよび斜辺Ｂより短い連結辺Ｃを設けた略五角柱形状を含むものであることを特徴とする。
【００１２】
請求項７に記載の非常用圧縮製品１は、請求項２、３、４、５または６に記載の考案において、箱容器３の有頂有底三角筒形状には、三角形状を構成する底辺Ａと二つの斜辺Ｂとの間に、その底辺Ａおよび斜辺Ｂより短い連結辺Ｃを設けた有頂有底五角筒形状を含むものであることを特徴とする。
【考案の効果】
【００１３】
請求項１に記載の非常用圧縮製品１は、少なくとも布製品を折り畳んだ状態で圧縮固化しているので、当該布製品の体積を通常の折り畳み状態より大幅に小さくすることができる。従って、オフィスの小さなスペースに保管することができる。なお、この圧縮製品体２は合成樹脂製シート４で密封状態にしているので、圧縮固化状態を長期にわたって維持することができると共に、清潔に保管することができる。
【００１４】
また、この圧縮製品体２は、面状取付手段５を取付けた箱容器３に収納しているので、当該面状取付手段５をデスクやロッカーなどの金属製備品Ｍに取付けることができる。従って、身近で分かり易い場所に保管することができると共に、非常時には容易に取り出すことができる。
【００１５】
請求項２に記載の非常用圧縮製品１は、請求項１に記載の考案と同様に、小さなスペースに、分かり易く、取り出し易い状態で保管することができる。また、圧縮製品体２を三角柱形状とする共に、それを収納する箱容器３を有頂有底三角筒形状とし、金属製備品Ｍの三角コーナーＴに取付けできるようにしているので、通常、使用していない身近で分かり易く、邪魔にならない小さなスペースに保管することができる。
【００１６】
また、この非常用圧縮製品１は、その圧縮製品体２を、少なくとも、タオル２ａ、軍手２ｂ、靴下２ｃで構成しており、これらは非常時に最も必要とされる製品であるため、極めて有用である。
【００１７】
請求項３に記載の非常用圧縮製品１は、同様に、身近で邪魔にならない小さなスペースに保管することができると共に、非常時には容易に取り出すことができる。また、圧縮製品体２を、少なくともブランケットしても使用できる大型タオル２ｄで構成しているので、この大型タオル２ｄで身体を温めることができ、極めて有用である。
【００１８】
請求項４に記載の非常用圧縮製品１も、同様に、身近で邪魔にならない小さなスペースに保管することができ、かつ、非常時には容易に取り出すことができる。また、圧縮製品体２を、少なくとも、タオル２ａ、軍手２ｂ、靴下２ｃ、バスタオル２ｅ、肌着２ｆ、晒し２ｇ、および巾着袋２ｈで構成しており、これらは全て非常時に必要とされるものであるため、極めて有用である。
【００１９】
請求項５に記載の非常用圧縮製品１は、請求項１乃至４に記載の考案と同様の効果を発揮する。また、合成樹脂製シート４を透明としているので、圧縮製品体２を外から視覚して確認することができる。
【００２０】
請求項６に記載の非常用圧縮製品１は、請求項２乃至５に記載の考案と同様の効果を発揮する。また、圧縮製品体２の三角柱形状には、三角形状を構成する底辺Ａと二つの斜辺Ｂとの間に、その底辺Ａおよび斜辺Ｂより短い連結辺Ｃを設けた略五角柱形状を含むこととしているので、圧縮製品体２の大型化を図ることができる（大型化すると三角柱形状が膨出した略五角柱形状となる）。これにより、例えば、大型タオル２ｄと手袋２ｂなどの複数の品物によって大型の圧縮製品体２を作ることができる。
【００２１】
請求項７に記載の非常用圧縮製品１は、請求項２乃至６に記載の考案と同様の効果を発揮する。また、箱容器３の有頂有底三角筒形状には、三角形状を構成する底辺Ａと二つの斜辺Ｂとの間に、その底辺Ａおよび斜辺Ｂより短い連結辺Ｃを設けた有頂有底五角筒形状を含むものとしているので、略五角柱形状となった大型の圧縮製品体２を容易に収納することができる。
【図面の簡単な説明】
【００２２】
【図１】本考案に係る非常用圧縮製品１の第一実施形態における圧縮製品体２を示す斜視図である。
【図２】本考案に係る非常用圧縮製品１の第一実施形態を示す斜視図である。
【図３】図２に示す箱容器３の解放状態を示す斜視図である。
【図４】図２に示す非常用圧縮製品１を金属製備品Ｍに磁着した状態を示す斜視図である。
【図５】本考案に係る非常用圧縮製品１の第二実施形態を示す斜視図である。
【図６】本考案に係る非常用圧縮製品１の第三実施形態を示す斜視図である。
【図７】図６に示す圧縮製品体２の他の形態を示す斜視図である。
【図８】図６に示す箱容器３の他の形態を示す斜視図である。
【考案を実施するための形態】
【００２３】
本考案に係る非常用圧縮製品１の第一実施形態を、図１乃至図４に示す。これは、地震などの非常時に取り出して使用するものであり、圧縮製品体２と、箱容器３と、面状取付手段５とで構成している。この非常用圧縮製品１の箱容器３の大きさは、例えば、頂板３ａと底板３ｂを形成する面の底辺Ａを１３ｃｍ程度とし、両斜辺Ｂのそれぞれ９ｃｍ程度としている。また、高さＨを８ｃｍ程度に設定している。
【００２４】
圧縮製品体２は、タオル２ａと軍手２ｂと靴下２ｃを重ねて折り畳んだ状態とした後、プレスによって圧縮して一体的に三角柱形状に固化した後、透明の合成樹脂製シート４で密封状態にして構成している。なお、合成樹脂製シート４は半透明あるいは不透明とすることもできる。こうすることによって、圧縮製品体２に色彩を与えて装飾性を持たせることができる。
【００２５】
箱容器３は、紙製で、圧縮製品体２を収納する大きさで、頂板３ａと底板３ｂを有する有頂有底三角筒形状である。なお、頂板３ａを回動式に開閉自在の蓋としている（図３参照）。また、頂板３ａと側板３ｃに折り代３ｄを設けて、箱としての機能を高めている。この箱容器３は、紙以外の材料（例えば、樹脂）で形成することもできる。
【００２６】
面状取付手段５は、箱容器３の一面に貼着され、圧縮製品体２を収納した箱容器３を、デスクやロッカーなどの金属製備品Ｍの三角コーナーＴに取付けるものである。なお、面状取付手段５は、箱容器３の二つの面に貼り付け、この二つの面状取付手段５で金属製備品Ｍに取付けることもできる。こうすることによって、より強力に取付けることができる。
【００２７】
本実施形態に係る非常用圧縮製品１は、三角柱形状に圧縮固化し、合成樹脂製シート４で密封状態にした圧縮製品体２を、金属製備品Ｍの三角コーナーＴに取付けて保管するので、邪魔にならず分かり易くて小さなスペースに、取り出し易い状態で保管することができる。また、その圧縮製品体２を、タオル２ａ、軍手２ｂ、靴下２ｃで構成しており、これらは非常時に最も必要とされる品物であるため、極めて有用である。
【００２８】
本考案に係る非常用圧縮製品１の第二実施形態を、図５に示す。この非常用圧縮製品１は、圧縮製品体２と箱容器３と面状取付手段５とで構成している。この非常用圧縮製品１の大きさは、第一実施形態のものより大きく設定している。
【００２９】
圧縮製品体２は、ブランケットとしても使用できる大型タオル２ｄ（１ｍ×２ｍ程度）を、折り畳んだ状態でプレスによって三角柱形状に圧縮固化し、合成樹脂製シート４で密封状態にしたものである。箱容器３は、紙製で、圧縮製品体２を収納するもので、頂板３ａと底板３ｂを備えた有頂有底三角筒形状である。また、面状取付手段５は、箱容器３の一面に貼着され、圧縮製品体２を収納した箱容器３を、デスクやロッカーなどの金属製備品Ｍの三角コーナーＴに取付けるものである。
【００３０】
本実施形態に係る非常用圧縮製品１は、第一実施形態と同様に、身近で邪魔にならない小さなスペースに保管することができると共に、非常時には容易に取り出すことができる。また、圧縮製品体２を、ブランケットしても使用できる大型タオル２ｄで構成しているので、この大型タオル２ｄで身体を温めることができ、非常時には極めて有用である。
【００３１】
本考案に係る非常用圧縮製品１の第三実施形態を、図６に示す。これも地震などの非常時に取り出して使用するものであり、圧縮製品体２と箱容器３と面状取付手段５とで構成され、その大きさは第二実施形態のものよりやや大きく設定している。
【００３２】
圧縮製品体２は、タオル２ａ、軍手２ｂ、靴下２ｃ、バスタオル２ｅ、肌着２ｆ、晒し２ｇおよび巾着袋２ｈを、折り畳んだ状態でプレスによって一体的に三角柱形状に圧縮固化し、合成樹脂製シート４で密封状態にして構成したものである。なお、晒し２ｇは包帯としても使用することができるで非常時に有用であり、また、巾着袋２ｈは貴重品を収納するのに有用である。
【００３３】
箱容器３は、圧縮製品体２を収納する有頂有底三角筒形状である。また、面状取付手段５は、箱容器３の一面に取付けられ、圧縮製品体２を収納した前記箱容器３を、デスクやロッカーなどの金属製備品Ｍの三角コーナーＴに取付けるものである。
【００３４】
本実施形態に係る非常用圧縮製品１も、同様に、身近で邪魔にならない小さなスペースに保管することができ、かつ、非常時には容易に取り出すことができる。また、圧縮製品体２を、タオル２ａ、軍手２ｂ、靴下２ｃ、バスタオル２ｅ、肌着２ｆ、晒し２ｇ、および巾着袋２ｈで構成しており、これらは全て非常時に必要とされるものであるため、極めて有用である。
【００３５】
なお、圧縮製品体２を、三角柱形状に代えて略五角筒形状に形成することができる（図７参照）。こうすることによって、より多くの品物によって圧縮製品体２を構成することができる。また、この略五角柱形状である圧縮製品体２を収納する箱容器３を、有頂有底五角筒形状に形成することもできる（図８参照）。
【符号の説明】
【００３６】
１        非常用圧縮製品
２        圧縮製品体
２ａ      タオル
２ｂ      軍手
２ｃ      靴下
２ｄ      大型タオル
２ｅ      バスタオル
２ｆ      肌着
２ｇ      晒し
２ｈ      巾着袋
３        箱容器
３ａ      頂板
３ｂ      底板
３ｃ      側板
３ｄ      折り代
４        合成樹脂製シート
５        面状取付手段
Ａ        底辺
Ｂ        斜辺
Ｃ        連結辺
Ｈ        高さ
Ｍ        金属製備品
Ｔ        三角コーナー
【図１】
0003156060.tif 000003
【図２】
0003156060.tif 000004
【図３】
0003156060.tif 000005
【図４】
0003156060.tif 000006
【図５】
0003156060.tif 000007
【図６】
0003156060.tif 000008
【図７】
0003156060.tif 000009
【図８】
0003156060.tif 000010